(57)【要約】【課題】  フォーカスの程度と構図を同時に確認できるようにする。【解決手段】  主映像書込み回路（６０）はメモリ（５４）に主映像を書き込む。部分映像読出し回路（７０）はフォーカス確認用にメモリ（５４）の主映像の一部を部分映像として読み出す。主映像解像度変換回路（７６）は主映像の解像度を液晶表示パネル（４０）のそれに合わせる。部分映像解像度変換回路（７２）は、部分映像を画面上のサイズでフル画面よりは小さいサイズに拡大する。エッジ抽出回路（８０）は回路７２の出力映像からエッジを抽出し、色相／彩度／明度調整回路（７４、７８）は回路（８０）の出力の色相／彩度／明度を調整する。色相／彩度／明度調整回路（７４、７８）は、回路（７２、７６）の出力の色相／彩度／明度を互いに異なるように調整する。映像合成回路（８４）は回路（７４、７８、８２）の出力映像を合成する。【選択図】  図２
2010130540.tif 000002
【特許請求の範囲】
【請求項１】
入力映像からその一部の映像を切り出し、画面上のより大きなサイズであって、フル画面より小さいサイズに変換し、部分映像として出力する解像度変換手段と、
前記入力映像と前記部分映像の少なくとも一方に対し、色相、彩度及び明度の少なくとも何れかにおいて異なるものに変換する調整手段と、
前記入力映像と前記部分映像のうち、前記調整手段で調整されたものと、前記調整手段で調整されないものを合成する映像合成手段と、前記映像合成手段の出力映像を表示する表示手段
とを具備することを特徴とする映像表示装置。
【請求項２】
前記入力映像がカラー映像であり、
前記調整手段は、前記入力映像と前記部分映像の一方を白黒映像に変換する手段を含むことを特徴とする請求項１に記載の映像表示装置。
【請求項３】
更に、前記部分映像からエッジ成分を抽出するエッジ抽出手段を具備し、
前記映像合成手段は、前記エッジ抽出手段の出力映像も合成する
ことを特徴とする請求項１又は２に記載の映像表示装置。
【請求項４】
前記映像合成手段は、前記入力映像と前記部分映像の重なり部分で、前記調整手段で調整されたものと、前記調整手段で調整されないものとを透過率に従い合成することを特徴とする請求項１乃至３の何れか１項に記載の映像表示装置。
【発明の詳細な説明】
【技術分野】
【０００１】
本発明は、デジタル・ビデオカメラ装置やデジタル・カメラ装置などの撮影装置の映像表示装置に関し、特に、合焦状態の確認に適した映像表示装置に関する。
【背景技術】
【０００２】
撮影画角内の被写体に厳密にピント合わせを行ったり意図的にぼかしたりしたい場合、カメラマンによるマニュアルフォーカス（ＭＦ：Manual Focus）操作が行われる。このため、業務用ビデオカメラに限らず、民生用ビデオカメラでも、オートフォーカス（ＡＦ：Auto Focus）だけでなく、マニュアルフォーカスも選択可能になっている。
【０００３】
大画面の映像表示手段を使用することで、フォーカスの合い具合、即ち、合焦度などを視覚的に確認しやすくなる。そこで、業務用ビデオカメラでは、大画面の映像表示部を備えていたり、外部に別途、映像表示装置を接続することがある。しかし、民生用ビデオカメラでは、小型化と低コスト化などの理由で、大型の映像表示手段を装備することは困難であり、大型の映像表示装置を外部接続するのも利便性を損なう。
【０００４】
また、昨今、高解像度（例えば、ハイビジョンフォーマット）の民生用デジタル・ビデオカメラも普及し始めている。高解像度の映像（ＨＤ映像）を大画面ＴＶ等で見た場合、従来の標準解像度の映像）（ＳＤ映像）の場合以上に、ピントのボケが判ってしまう。
【０００５】
マニュアルフォーカス時のピント合わせの補助として、ビデオカメラに装備される電子ビューファインダ（ＥＶＦ）や液晶表示パネルの画面での合焦度の視認性を改善する方法が、提案されている。例えば、撮影映像から輪郭信号を抽出して、元映像に重畳・付加する形で輪郭を強調する処理や、映像信号にバンドパスフィルタ等をかけてエッジを強調する処理等である。このような処理は、輪郭補正、ピーキング又はエンハンサなどと称される。
【０００６】
撮影画角内の映像の一部を拡大表示することによってピントの細部を確認できるようにした拡大表示機能を備えるものもある。拡大画像を表示画面全体に表示するものや、撮影画像を背後に残しながら、中心部の矩形領域に拡大画像を表示する方法などが知られている。たとえば、特許文献１には、マニュアルフォーカス時に表示部に拡大表示を行う場合に拡大画像と縮小画像を同一画面上に表示する撮像装置が記載されている。特許文献２には、撮像素子による撮影画像の内、拡大すべき領域の範囲を示す電子ズーム枠を備え、拡大画像と撮影画像を、それぞれ異なる表示領域に配置して同時に表示する撮像装置が記載されている。
【特許文献１】特開平１１−３４１３３１号公報
【特許文献２】特開２００６−１７４１２８号公報
【発明の開示】
【発明が解決しようとする課題】
【０００７】
一方、ＨＤ映像になって解像度が高くなったこともあり、広角側での撮影も従来以上に活用されるケースも見られる。プロの世界では、特に、通行人や車、看板などが画面の端の部分に映り込んでしまう事に対して、シビアに監視している撮影も多い。撮影映像から拡大表示画面に表示画面全体を切り替えてしまうと、画角端部分への映り込みを監視できなくなってしまう。
【０００８】
即ち、拡大映像でピントの合い具合や撮影被写体を確認する際にも、同時に撮影画角の周辺部分の映像を視覚的に確認できることが必要である。拡大画像と撮影画像を重ねて表示する場合には、拡大画像の背後に隠れる撮影像画像の部分も、簡便な操作で視覚的に確認できる必要がある。
【０００９】
本発明は、このような要望を満たす映像表示装置を提示することを目的とする。
【課題を解決するための手段】
【００１０】
本発明に係る映像表示装置は、入力映像からその一部の映像を切り出し、画面上のより大きなサイズであって、フル画面より小さいサイズに変換し、部分映像として出力する解像度変換手段と、前記入力映像と前記部分映像の少なくとも一方に対し、色相、彩度及び明度の少なくとも何れかにおいて異なるものに変換する調整手段と、前記入力映像と前記部分映像のうち、前記調整手段で調整されたものと、前記調整手段で調整されないものを合成する映像合成手段と、前記映像合成手段の出力映像を表示する表示手段とを具備することを特徴とする。
【発明の効果】
【００１１】
本発明により、部分映像で注目部分の詳細を確認でき、部分映像の重ならない主映像の周辺部分で画角や構図を確認できる。
【発明を実施するための最良の形態】
【００１２】
以下、図面を参照して、本発明の実施例を詳細に説明する。
【実施例１】
【００１３】
取り外し可能なメモリカードを記録媒体として用いる高精細デジタルビデオカメラに本発明に係る映像表示装置の一実施例を組み込んだ場合を説明する。図１は、その高精細デジタルビデオカメラの概略構成ブロック図を示す。
【００１４】
撮影レンズ１０は、撮影用のレンズ群と絞りからなり、ズーム機能、フォーカス（ピント）調整機能及び絞り調整機能を具備する。撮像素子１２は、撮影レンズ１０による光学像を電気画像信号に変換する素子である。このような撮像素子１２には、例えば、ＣＭＯＳ（Complementary Metal Oxide Semiconductor）撮像素子およびＣＣＤ（Charged Coupled Device）撮像素子がある。撮像素子１２は、電荷蓄積時間を調整可能であり、これにより電子シャッタ機能を実現できる。
【００１５】
ＣＤＳ／ＡＧＣ回路１４は、撮像素子１２からのアナログ画像信号のノイズを相関二重サンプリング（Correlated Double Sampling）により削減する。そして、自動利得制御（Auto Gain Controller）によりその信号レベルを自動制御する。Ａ／Ｄ変換器１６は、ＣＤＳ／ＡＧＣ回路１４の出力信号をデジタル信号に変換してカメラ信号処理回路１８に供給する。
【００１６】
カメラ信号処理回路１８は、メモリ２０を使って、ビデオカメラに必要な種々の演算処理を実行する。具体的には、カメラ信号処理回路１８は、メモリ２０をフレームメモリとして使い、Ａ／Ｄ変換器１６からのデジタル画像信号に色バランス調整及びガンマ補正等の周知のカメラ信号処理を施す。カメラ信号処理回路１８はまた、露出制御及びフォーカス制御のための演算を実行し、演算結果をシステム制御回路２２に供給する。カメラ信号処理回路１８は、ＡＦ機能のために、被写体までの距離も算出可能であり、ピント制御の基準となるＡＦ評価値を算出する。カメラ信号処理回路１８は、撮像素子１２、ＣＤＳ／ＡＧＣ回路１４及びＡ／Ｄ変換器１６の動作タイミングを規定するタイミング信号を発生するタイミング信号発生回路を内蔵する。
【００１７】
本実施例では、撮像視野内のＡＦ用測距枠は、画面格子状に９点あるものとする。そして、測距モードとして、全測距枠を使用する方法と、中心部のみの測距枠を使用する方法等があり、ユーザはいずれかを選択可能である。ＡＦ制御に参照する１又は複数の測距枠をまとめて、測距エリアと呼ぶ。
【００１８】
撮像素子駆動回路２４は、カメラ信号処理回路１８からのタイミング信号に従い、撮像素子１２を駆動する。これにより、撮像素子１２の露光時間が調節され、電子シャッタ時間を制御できる。
【００１９】
レンズ駆動回路２６は、システム制御回路２２からの制御信号に従い、撮影レンズ１０のズーム、フォーカス及び絞りを制御する。ＡＦ時には、カメラ信号処理回路１８は、撮像信号からフォーカス調整情報（評価値）を演算し、システム制御回路２２に供給する。システム制御回路２２は、この評価値に基づきレンズ駆動回路２６を介して撮影レンズ１０のフォーカス調整用レンズを制御し、ピントを調整する。
【００２０】
マニュアルフォーカス（ＭＦ）時には、ユーザは、入力操作部２８によりフォーカスをシステム制御回路２２に指示できる。撮影レンズ１０を収容するレンズ鏡筒の外周に、ユーザが回転操作可能なフォーカスリングが装備され、このフォーカスリングをユーザが回転操作することで、フォーカス位置をシステム制御回路２２に指示する。もちろん、電子的な機構又は機械的な回転検知機構が、フォーカスリングの回転方向と回転角を検出し、システム制御回路２２に通知する。このような電子的又は機械的な回転検知機構は周知である。
【００２１】
マニュアルによる露出調整のためには、入力操作部２８に属する絞り調整ダイヤルをユーザが調整することで、システム制御回路２２に絞りの調整を指示できる。システム制御回路２２は、指示された絞り値になるように、レンズ駆動回路２６を介して撮影レンズ１０の絞りを制御する。
【００２２】
入力操作部２８は、上述したフォーカスリング及び絞り調整ダイヤルの他に、各種操作キー又はタッチパネル等で実現される操作スイッチ又は操作ボタンを具備する。例えば、撮影スタート・ストップボタン、拡大表示オン／オフボタン、静止画撮影用シャッタボタン、透過率制御ダイヤル及びズームスイッチなどを含む。汎用的なものとして、ゼブラパターンやピーキング表示を始めとした各種機能の選択ボタン及びその決定ボタンを具備する。
【００２３】
ストロボ３０は、カメラ信号処理回路１８の制御下で、露出制御と連動して、又は発光設定に基づき、発光する。ユーザは、入力操作部２８により、強制発光、発光禁止、及び、測光結果に従ったオートモードなどを選択可能である。
【００２４】
マイク３２は、周囲の音を取り込み、その音声信号をカメラ信号処理回路１８に供給する。カメラ信号処理回路１８は、音声信号を処理する機能も有する。
【００２５】
システム制御回路２２にはメモリ３４及び計時部３６が接続する。メモリ３４は、各種制御のプログラム及びデータを格納するＲＯＭと、システム制御回路２２の演算処理のワークエリアとして使用されるＲＡＭからなる。
【００２６】
計時部３６は、リアルタイムクロックとそのバックアップ電池からなり、現在時刻をシステム制御回路２２に通知する。
【００２７】
ビデオ制御回路３８は、液晶表示パネル４０、電子ビューファインダ（ＥＶＦ）４２、記録再生装置４４、ビデオコーデック４６及びＪＰＥＧ（Joint Photographic Experts Group）コーデック４８間で映像信号をやりとりする。ビデオ制御回路３８はまた、アナログライン入出力部５０及びデジタルデータＩ／Ｆ５２を介して外部機器との間で映像信号をやりとりする。ビデオ制御回路３８には、制御演算のための作業領域として使われるメモリ５４が接続する。ビデオコーデック４６及びＪＰＥＧコーデック４８には、画像データの圧縮伸長のための作業領域として使われるメモリ５６が接続する。記録再生装置４４は、ビデオ制御回路３８からの映像信号を記録処理して記録媒体５８に記録し、記録媒体５８に記録される映像信号を読出し、再生処理してビデオ制御回路３８に供給する。
【００２８】
ビデオ制御回路３８は、液晶表示パネル４０及び電子ビューファインダ（ＥＶＦ）４２に供給する各映像信号の色相、彩度及び明度を調整できる。ビデオ制御回路３８はまた、表示映像の切り出しを含む領域制御と解像度変換、表示位置や重ね表示での透過率制御、ゼブラパターンやピーキング信号の生成および重畳なども実行できる。
【００２９】
ビデオコーデック４６は、Ｈ．２６４／ＭＰＥＧ−４  ＡＶＣ（ＭＰＥＧ−４  Ｐａｒｔ  １０  Ａｄｖａｎｃｅｄ  Ｖｉｄｅｏ  Ｃｏｄｉｎｇ）に従い動画像を符号化／復号化する。無論、動画像の符号化方式自体は、別の方式、例えば、ＭＰＥＧ２（Moving Picture Experts Group）であってもよい。
【００３０】
ＪＰＥＧコーデック４８は、静止画像を符号化／復号化する。ＪＰＥＧコーデック４８は、ビデオコーデック４６と一部の回路を共用しているのと、再生動画像から静止画を取り込む機能（静止画撮影機能）を実現するために、ビデオ制御回路３８に接続している。このような必要性が無い場合、ＪＰＥＧコーデック４８をカメラ信号処理回路１８に直接接続しても良い。
【００３１】
記録媒体５８は、本実施例では、メモリカードからなるが、その他の記録媒体、例えば、光ディスク又はハードディスクであってもよい。
【００３２】
本実施例では、液晶表示パネル４０は、記録モードでは、撮像系からの入力映像又は拡大映像を表示し、フォーカス枠、撮影者の操作によりゼブラパターン及びピーキングなども合わせて表示する。液晶表示パネル４０は、再生モードでは、記録媒体５８から再生された動画像及び静止画像を表示する。液晶表示パネル４０には、入力操作部２８からのユーザによる入力操作情報、記録媒体５８の任意の画像情報（撮影情報）なども、表示可能である。ＥＶＦ４２にも、液晶表示パネル４０と同様の内容を表示可能である。液晶表示パネル４０とＥＶＦ４２のどちらに表示するのか、また、両方に表示するのかは、ユーザが入力操作部２８によりシステム制御回路２２に指示し設定できる。
【００３３】
アナログライン入出力部５０は、アナログコンポーネント映像信号、輝度／色差分離信号、コンポジット映像信号等の入出力に使用される周知の入出力端子からなる。アナログライン入出力部５０に外部ＴＶモニタ等に接続することで、本実施例のビデオカメラからの出力映像信号をＴＶ画面に表示できる。
【００３４】
デジタルデータＩ／Ｆ５２は、例えば、ＵＳＢ（Universal Serial Bus）Ｉ／Ｆ、ＩＥＥＥ１３９４  Ｉ／Ｆ又はＨＤＭＩ（High-Definition Multimedia Interface）端子などからなる。
【００３５】
図２は、ビデオ制御回路３８の概略構成ブロック図を示す。主映像書込み回路６０には、カメラ信号処理回路１８からのタイミング情報に同期してＡ／Ｄ変換器１６から主映像の映像信号が入力する。メモリインターフェース６２はメモリ５４への映像データの書込みと読出しを仲立ちする回路であり、書込みバッファ６４、シーケンサ６６及び読出しバッファ６８からなる。
【００３６】
主映像書込み回路６０は、主映像の映像信号から映像データと垂直水平同期信号等のタイミング信号とを分離し、当該映像データを書込みバッファ６４に、当該タイミング信号をシーケンサ６６に供給する。主映像書込み回路６０はまた、書込みバッファ６４に書込みアドレス（ＷＡ）と書込みイネーブル信号を供給する。
【００３７】
書込みバッファ６４は、主映像書込み回路６０からの書込みアドレスに主映像書込み回路６０からの映像データを書き込み、映像データを一時的にバッファリングする。シーケンサ６６は、書込みバッファ６４に一時的に格納された映像データを読み出してメモリ５４に書き込む。書込みバッファ６４により、動作クロック及び／又は転送データ単位の相違を吸収できる。書込みバッファ６４を２バンク構成とし、一方を書込み用、他方を読出し用とし、適当なタイミングで切り替えることで、より迅速なバッファリングが可能になる。
【００３８】
シーケンサ６６は、主映像書込み回路６０からの水平垂直同期信号、及び映像合成回路８４からのタイミング信号に従い、メモリ５４へのアクセスと、要求される映像データの書込み又は読出しタイミングとの調停を行う。調停手法、調停制御信号等は本発明とは直接関係しないので、詳細な説明を省略する。
【００３９】
メモリ５４からの映像データの読出し動作は以下の通りである。すなわち、シーケンサ６６はフレーム信号を部分映像読出し回路７０に供給し、部分映像読出し回路７０はこのフレーム信号に同期して、読み出したい部分映像の領域を示す読出しアドレス（ＲＡ）を読出しバッファ６８に供給する。読出しバッファ６８は、シーケンサ６６によりメモリ５４から読み出された映像データを順次記憶し、部分映像読出し回路７０からの読出しアドレスで指定された部分の映像データを回路７０に供給する。読出しバッファ６８は、メモリ５４のデータ転送量及びアクセスタイミングと、後段の回路で要求されるそれらとの差を吸収する。タイミング制御の容易性から、読出しバッファ６８を、書込みバッファ６４と同様に２バンク構成としてもよい。
【００４０】
部分映像解像度変換回路７２は、部分映像読出し回路７０からの映像データを水平方向、垂直方向又はその両方に解像度を変換し、垂直水平同期信号を付加する。全画面からその一部を切り出す使用状態を想定して、部分映像と表記しているが、本実施例では、部分映像は、全画面の映像データであってもよい。解像度変換には、ＦＩＲ（Finite impulse response）フィルタ等のフィルタリングにより帯域制限をかけてサブサンプリングまたはオーバーサンプリングするか、線系補間等が利用可能である。
【００４１】
色相／彩度／明度調整回路７４は、部分映像解像度変換回路７２からの映像データの輝度（Ｙ）及び色差（Ｃｂ，Ｃｒ）のゲインを制御する。例えば、Ｙ，Ｃｂ，Ｃｒ共に８ビット諧調であるとすると、Ｃｂ＝８０Ｈｅｘ（１６進表記）、Ｃｒ＝８０Ｈｅｘとすると、白黒映像となる。
【００４２】
主映像解像度変換回路７６は、カメラ信号処理回路１８からの映像信号の解像度を液晶表示パネル４０の解像度に合う解像度に変換する。色相／彩度／明度調整回路７８は、主映像解像度変換回路７６からの映像データの輝度（Ｙ）及び色差（Ｃｂ，Ｃｒ）のゲインを制御する。
【００４３】
エッジ抽出回路８０は、部分映像解像度変換回路７２から出力される映像データからエッジを抽出する。エッジ抽出回路８０は、ピントの合い具合の視認性を向上させるために搭載されていることが多く、輪郭補正回路、ピーキング回路又はエンハンサなどとも称される。エッジ抽出回路８０は、部分映像解像度変換回路７２の出力映像信号から輪郭信号をＦＩＲのバンドパフフィルタにより抽出する。色相／彩度／明度調整回路８２は、エッジ抽出回路８０からの映像データの輝度（Ｙ）及び色差（Ｃｂ，Ｃｒ）のゲインを制御する。
【００４４】
映像合成回路８４は、色相／彩度／明度調整回路７４，７８，８２の出力映像信号を合成する。映像合成回路８４は、結局、撮像中の映像（主映像）を全画面とし、主映像に重ねて、主映像の中心部分に部分映像を合成する。色相／彩度／明度調整回路８２の出力を採用することで、表示される部分映像は、エッジ強調された画像になり、部分映像によるマニュアルフォーカス時のピント合わせが容易になる。映像合成回路８４の合成で得られた映像信号が、液晶表示パネル４０に印加され、画像として表示される。
【００４５】
例えば、主映像をカラー表示として周辺画角を確認可能にしながら、拡大した部分映像を白黒表示とし、その上にフォーカスアシスト用に映像のエッジ部分を強調したピーキング映像をカラー表示する。これにより、画角とフォーカスの両方を一つの画面で視覚的に確認できるようになる。
【００４６】
システム制御回路２２は、接続配線を省略してあるが、色相／彩度／明度調整回路７４，７８，８２のオン／オフ及び調整値を制御し、エッジ抽出回路８０のオン／オフを制御する。システム制御回路２２はまた、映像合成回路８４での映像合成の透過率を制御する。透過率は、主映像と部分映像の重なり部分の合成比率に相当する。透過率を制御することで、部分映像の部分の不透明から透明の範囲で調整できる。
【００４７】
主映像、部分映像の諸元例は以下の通りである。Ａ／Ｄ変換器１６からの映像信号が水平１９２０ピクセル、垂直１０８０ラインのインターレース信号（１９２０×１０８０ｉ）であり、液晶表示パネル４０の表示能力が、水平９６０ピクセル、垂直５４０ラインのプログレッシブ信号であるとする。メモリ５４は、この１９２０×１０８０ｉの映像データを１フレーム分、記憶可能である。主映像解像度変換回路７６は、水平９６０ピクセル、垂直５４０ラインのプログレッシブ信号を出力する。部分映像解像度変換回路７２は、水平８５４ピクセル、垂直４８０ラインのプログレッシブ信号を出力する。
【００４８】
色相／彩度／明度調整回路７４は、白黒映像信号を出力する。色相／彩度／明度調整回路７８は、カラー映像信号を出力する。色相／彩度／明度調整回路８２は、水平エッジ成分のカラー映像信号を出力する。映像合成回路８４は、調整回路７８からのカラー主映像上に調整回路７４からの白黒部分映像を重ね、更に、調整回路８２からのカラーの水平エッジ成分を重ねる。
【００４９】
本実施例では、フォーカスを確認する目的の部分映像をフル画面で表示するフル画面表示モードと、部分映像を拡大して主映像に重ねて表示する拡大重畳表示モードを選択可能である。図３は、フル画面表示モードの説明図を示し、図４は、拡大重畳表示モードの説明図を示す。
【００５０】
図３（ａ）は、撮影画面内で、主映像と部分映像の配置を示す。この例では、主映像９０の中央に部分映像９２が位置する。理解しやすいように、図３（ａ）では部分映像９２の境界を破線で図示してあるが、実際の表示画面では、部分映像９２は、主映像９０から区別されずに、一体に表示される。図３（ｂ）は、部分映像９２をフル画面に拡大表示した例を示す。図３（ｂ）に示す表示態様では、主映像の周辺部分の様子を視覚的に確認できない。従って、撮影者が、図３（ｂ）の表示態様からは、フォーカスの程度を確認しやすいものの、撮影視野内の構図を確認することはできない。
【００５１】
部分映像の「拡大」は、表示画面上のサイズで見て大きくなっていることを意味し、必ずしも物理的に拡大していること、又は、解像度変換で画素数を増やしていることを意味しない。主映像解像度変換回路７６での主映像の間引きが大きい場合、部分映像解像度変換回路７２で部分映像を間引くときでも、画面上、拡大に相当することがある。例えば、部分映像解像度変換回路７２が、部分映像の解像度をそのままに維持し、主映像解像度変換回路７６が主映像の解像度を低減する場合、合成映像上では部分映像を拡大したことになる。このとき、部分映像は、撮影映像の一部をそのまま切り出したものになるので、画像処理によるエッジ等ボケ等が無く、フォーカスの確認には最適である。
【００５２】
図４（ａ）は、図３（ａ）と同様に、撮影画面内で、主映像と部分映像の配置を示す。主映像９０の中央に部分映像９２が位置する。図４（ａ）でも、部分映像９２の境界を破線で図示してあるが、実際の表示画面では、部分映像９２は、主映像９０から区別されずに、一体に表示される。図４（ｂ）は、部分映像９２を主映像９０よりは小さいサイズに拡大しつつ、主映像９０の中央に重ねて表示した例を示す。領域９４が、部分映像９２を拡大した映像、即ち拡大部分映像を示す。拡大部分映像９４により、フォーカスの確認が容易になる。主映像の周辺部分が視覚的に確認できるので、撮影視野内の構図が確認可能である。
【００５３】
図５は、図４に対応する実際の映像例である。拡大部分映像９４で「鳥」へのピントの合い具合を確認できる。同時に、拡大部分映像９４の周囲の主映像９０により、撮影視野内の周辺部分での、樹木のバランスや、不要な被写体が入ってきていないこと等が視覚的に確認できる。
【００５４】
本実施例では、図４（ｂ）に示す表示により、ピントの合い具合の視覚的確認が容易になると共に、撮影映像の周辺部分（画角そのものや、不要な被写体が入ってきていないこと等）を視覚的に確認できる。
【００５５】
拡大された部分映像９４と、主映像９０の周辺部分とで、色相、彩度又は明度を異ならせることで、それぞれの識別が容易になる。上記説明例では、拡大部分映像９４を白黒表示とし、主映像９０をカラー表示としているので、撮影者は、ピント確認には白黒映像に注目し、画角の確認にはカラー映像に注目すれば良い。これにより、視認性と操作性の向上が期待できる。無論、白黒／カラー表示制御の対象を逆にしても構わない。
【００５６】
被写体のエッジ部分を強調するピーキング表示を併用した場合で、拡大部分映像９４を白黒表示としたときに、ピーキング表示に色を付けることで、エッジの識別が容易になる。勿論、拡大部分映像９４をカラー表示とした場合には、ピーキング表示を白黒表示とすればよい。
【００５７】
図６は、本実施例の表示モードの制御フローチャートを示す。電源を入れ、撮影可能状態となると、撮影モードの終了有無を判定する（Ｓ１）。撮影者が、入力操作部２８に含まれるモードダイヤルの操作により、撮影モードの終了を指示した場合には、表示状態を、主映像のみを表示するノーマル表示に戻して終了する（Ｓ７）。
【００５８】
撮影モードを終了しなれば（Ｓ１）、拡大表示がオンになっているかオフになっているかを判定する（Ｓ２）。撮影者は、入力操作部２８に含まれる拡大表示オン／オフボタンにより拡大表示のオン／オフをシステム制御回路２２に指示できる。システム制御回路２２は、拡大表示オン／オフボタンの操作状態を検出する。そして、拡大表示オンの場合には（Ｓ２）、拡大表示を設定し（Ｓ３）、拡大表示オフの場合には（Ｓ２）、ノーマル表示を設定する（Ｓ４）。拡大表示では、部分映像を白黒表示とし、主映像の周辺部分を部分的に残すサイズに拡大してカラーの主映像に重畳する。ノーマル表示では、主映像をそのまま表示する。
【００５９】
撮影開始の指示の有無を確認する（Ｓ５）。撮影開始の指示がなければ（Ｓ５）、ステップＳ１以降を繰り返す。撮影開始の指示があると（Ｓ５）、撮影映像の記録を開始し（Ｓ６）、ステップＳ１以降を繰り返す。
【００６０】
本実施例では、主映像の中央部分に、フォーカス確認用の部分映像を拡大表示するので、ピントの合い具合を確認しやすい。部分映像の周囲で主映像の周辺部分を視認できるように主映像に部分映像を合成するので、同時に構図も確認できる。主映像と部分映像をそれらの表示色（色相、彩度、明度）を異ならせるので、それぞれを視覚的に認識するのが容易になる。これらの作用により、画角のピントの両方を同時に且つ容易に確認できるようになる。
【００６１】
以上の説明では、理解を容易にするために、映像合成回路８４による主映像と部分映像の合成の透過率（αブレンド値）を０とし、部分映像が重なる主映像部分を見えないようにした。しかし、透過率を０より大きく、１より小さい値とすることで、部分映像を透過状態とする。この場合、部分映像が重なる主映像部分も視覚的に確認可能になる。
【００６２】
透過率を０％とすると、図４（ｂ）に示すように、主映像に拡大部分映像を重ねて表示し、拡大部分映像が重なる主映像部分は、全て隠蔽されている。これはいわば、映像合成回路８４が、主映像と拡大部分映像が重なる部分で、主映像の合成比率をα（＝０％）、拡大部分映像の合成比率を（１−α）（＝１００％）で合成することに相当する。
【００６３】
図７は、αとして０より大きく、１より小さい値を採用した場合の表示画面の模式図を示す。視覚的に３つの領域に分かれる。拡大部分映像９４が重なる主映像部分も視覚的に確認可能になるが、拡大部分映像９４より狭い領域９６に、部分映像９２が非拡大で表示される。即ち、同じ部分映像が、領域９６に表示されると共に、拡大映像９４として拡大して表示され、撮影者には、両方が重なって見えることになる。
【００６４】
このような透過制御に加えて、主映像と拡大部分映像の表示色（色相、彩度、明度）を異ならせることで、視認性が向上する。
【００６５】
デジタルビデオカメラに適用した実施例を説明したが、本発明は、動画記録又は静止画記録を行う様々な記録装置、及び、単に映像確認用のモニタ等にも適用可能である。
【図面の簡単な説明】
【００６６】
【図１】本発明の一実施例の概略構成ブロック図である。
【図２】ビデオ制御回路３８の概略構成ブロック図を示す。
【図３】フル画面表示モードの説明図を示す。
【図４】拡大重畳表示モードの説明図を示す。
【図５】図４に対応する実際の映像例である。
【図６】本実施例の表示モードの制御フローチャートを示す。
【図７】透過表示にした場合の表示画面例である。
【符号の説明】
【００６７】
１０：撮影レンズ
１２：撮像素子
１４：ＣＤＳ／ＡＧＣ回路
１６：Ａ／Ｄ変換器
１８：カメラ信号処理回路
２０：メモリ
２２：システム制御回路
２４：撮像素子駆動回路
２６：レンズ駆動回路
２８：入力操作部
３０：ストロボ
３２：マイク
３４：メモリ
３６：計時部
３８：ビデオ制御回路
４０：液晶表示パネル
４２：電子ビューファインダ（ＥＶＦ）
４４：記録再生装置
４６：ビデオコーデック
４８：ＪＰＥＧ（Joint Photographic Experts Group）コーデック
５０：アナログライン入出力部
５２：デジタルデータＩ／Ｆ
５４：メモリ
５６：メモリ
５８：記録媒体
６０：主映像書込み回路
６２：メモリインターフェース
６４：書込みバッファ
６６：シーケンサ
６８：読出しバッファ
７０：部分映像読出し回路
７２：部分映像解像度変換回路
７４：色相／彩度／明度調整回路
７６：主映像解像度変換回路
７８：色相／彩度／明度調整回路
８０：エッジ抽出回路
８２：色相／彩度／明度調整回路
８４：映像合成回路
９０：主映像
９２：部分映像（拡大部分映像）
【図１】
2010130540.tif 000003
【図２】
2010130540.tif 000004
【図３】
2010130540.tif 000005
【図４】
2010130540.tif 000006
【図５】
2010130540.tif 000007
【図６】
2010130540.tif 000008
【図７】
2010130540.tif 000009